(57)【要約】【課題】利点の多い合成樹脂皮膜付のゴムシートの大型のものを作製できるようにして、材料の主成分として、膨張・収縮の変形性に優れるゴムを用いながらも、耐薬品性や耐油性に優れるものとして、より耐久性に優れる浮屋根式タンク用シール材を提供する。【解決手段】弾性材製の芯材３０を覆って、浮屋根２２の外周部２２Ａとタンク２１の内周面３２Ａとの間を閉塞する状態に設置されるシール体２４を形成するための浮屋根式タンク用シール材において、ゴム層とこれに重ねられた合成樹脂層とでなる単位ゴムシート１の端部どうしを接合してなる接続部が備えられた合成樹脂皮膜ゴムシートＳを、所定の芯材覆い形状に形成して構成されている。【選択図】図１
2018024457.tif 000002
【特許請求の範囲】
【請求項１】
弾性材よりなる芯材を覆って、浮屋根の外周部とタンクの内周面との間を閉塞する状態に設置されるシール体を形成するための浮屋根式タンク用シール材であって、
ゴム層と前記ゴム層に重ねられた合成樹脂層とでなる単位ゴムシートと、前記単位ゴムシートの端部どうしを接合してなる接続部とを有する合成樹脂皮膜ゴムシートにより、所定の芯材覆い形状に形成されている浮屋根式タンク用シール材。
【請求項２】
前記接続部は、
一方の前記単位ゴムシートの端部を前記ゴム層が内側となる方向に折り畳んだ形状とされている折り返し部と、
他方の前記単位ゴムシートの端部を、これの合成樹脂層が前記折り返し部の合成樹脂層に沿うようにクランク状に折り曲げた形状とされているカバー部と、
前記折り返し部と前記カバー部とがそれぞれの合成樹脂層どうしが当接する状態に重ね合わされている重ね部に外接される覆いゴムシートとを備えるとともに、
前記重ね部と前記覆いゴムシートとの接着によりなる一体化部、及び、前記折り返し部の合成樹脂層と前記カバー部の合成樹脂層との貼着によりなる貼着部が構成されている請求項１に記載の浮屋根式タンク用シール材。
【請求項３】
前記ゴム層がゴム引布により形成されている請求項２に記載の浮屋根式タンク用シール材。
【請求項４】
前記折り返し部は、接着ゴムを挟んで折り畳んだ状態に構成されている請求項２又は３に記載の浮屋根式タンク用シール材。
【請求項５】
前記一方及び他方の各合成樹脂皮膜ゴムシートの端部における前記合成樹脂層どうしに跨る合成樹脂フィルムが設けられ、一方の合成樹脂層及び他方の合成樹脂層のそれぞれと前記合成樹脂フィルムとの貼着によりなる第２貼着部が構成されている請求項１〜４の何れか一項に記載の浮屋根式タンク用シール材。
【請求項６】
前記覆いゴムシートは、覆い内側の接着ゴム層と、覆い外側のゴム引布とが重ねられて一体化された２層構造のものに構成されている請求項２〜５の何れか一項に記載の浮屋根式タンク用シール材。
【発明の詳細な説明】
【技術分野】
【０００１】
本発明は、原油など石油関連製品の貯蔵に使用されている浮屋根式構造（フローティング式）の貯蔵タンクに係り、詳しくは、弾性材よりなる芯材を覆って、浮屋根の外周部とタンクの内周面との間を閉塞する状態に設置されるシール体を形成するための浮屋根式タンク用シール材に関するものである。
【背景技術】
【０００２】
この種の浮屋根式タンクにおいては、タンク本体と浮屋根との間隙をシールするシール体が使用されている。即ち、タンク内部に貯蔵した原油などの揮発性液体の上に浮屋根を載せ、揮発性液体を備蓄するようにしており、浮屋根は、タンク内の貯蔵量の増減に応じて上下動する。そのため、タンクの内周面と浮屋根外周部の間に間隙を設け、その間隙から揮発性成分が蒸発するのを防止すべく、間隙にシール体を設けている。
【０００３】
このシール体には、温度変化などによる大きさの変化や、上下移動に伴う変形など、膨張・伸縮に柔軟に対応できることが求められるとともに、石油、原油などの揮発性液体に侵されない耐薬品性や耐油性も求められる。
【０００４】
例えば、特許文献１（図１を参照）においては、円環状のシール体（１）として、弾性材からなる芯体（２）と、その芯材（２）を覆うシール材〔エンベロープ〕（５）とからなり、浮屋根（６）の外周面（８）にボルト止めされるものが知られている。
特許文献１にて開示されるシール材（５）は、補強層（３）が埋設されたゴムシート（４）からなる。
【０００５】
ゴムシート（４）は、ＮＢＲ系やフッ素系のゴム、或いはＥＰＤＭ系やＣＲ系のゴムが用いられている。
しかしながら、何系であってもゴムはゴムなので、膨張・伸縮に対する優れた追従性がある点では好ましいが、耐薬品性や耐油性の点では改善の余地がある。
【０００６】
そこで、特許文献２において開示された合わせガラス製造用加熱・加圧バッグのように、耐薬品性に優れるＰＴＦＥ樹脂皮膜付のゴムシートを用いることが考えられる。フッ素樹脂などの合成樹脂層を有するゴムシートを、浮屋根式タンクのシール体などの大型の構造物として用いるには、複数或いは多数のゴムシートを接合一体化して大きなゴムシートとする必要がある。
しかしながら、合成樹脂層を持つゴムシートを液漏れのない液封状態で、かつ、強度十分に接合することは難しく、実現に至っていないのが実状である。
【先行技術文献】
【特許文献】
【０００７】
【特許文献１】特開２０１２−１４８７８７号公報
【特許文献２】特開２００５−２１９９４７号公報
【発明の概要】
【発明が解決しようとする課題】
【０００８】
本発明の目的は、利点の多い合成樹脂皮膜が施されたゴムシートの大型のものを作製できるようにし、材料の主成分として、膨張・収縮の変形性に優れるゴムを用いながらも、耐薬品性や耐油性に優れるものとして、より耐久性に優れる浮屋根式タンク用シール材を提供する点にある。
【課題を解決するための手段】
【０００９】
請求項１に係る発明は、弾性材よりなる芯材３０を覆って、浮屋根２２の外周部２２Ａとタンク２１の内周面３２Ａとの間を閉塞する状態に設置されるシール体２４を形成するための浮屋根式タンク用シール材において、
ゴム層２と前記ゴム層２に重ねられた合成樹脂層３とでなる単位ゴムシート１と、前記単位ゴムシート１の端部どうしを接合してなる接続部Ａとを有する合成樹脂皮膜ゴムシートＳにより、所定の芯材覆い形状に形成されていることを特徴とする。
【００１０】
請求項２に係る発明は、請求項１に記載の浮屋根式タンク用シール材において、
前記接続部Ａは、
一方の前記単位ゴムシート１の端部を前記ゴム層２が内側となる方向に折り畳んだ形状とされている折り返し部１Ａと、
他方の前記単位ゴムシート１の端部を、これの合成樹脂層３が前記折り返し部１Ａの合成樹脂層３に沿うようにクランク状に折り曲げた形状とされているカバー部１Ｂと、
前記折り返し部１Ａと前記カバー部１Ｂとがそれぞれの合成樹脂層３，３どうしが当接する状態に重ね合わされている重ね部ａに外接される覆いゴムシート４と、を備えるとともに、
前記重ね部ａと前記覆いゴムシート４との接着によりなる一体化部１Ｃ、及び、前記折り返し部１Ａの合成樹脂層３と前記カバー部１Ｂの合成樹脂層３との貼着によりなる貼着部Ｙ１が構成されていることを特徴とする。
【００１１】
請求項３に係る発明は、請求項２に記載の浮屋根式タンク用シール材において、前記ゴム層２がゴム引布８により形成されていることを特徴とする。
【００１２】
請求項４に係る発明は、請求項２又は３に記載の浮屋根式タンク用シール材において、
前記折り返し部１Ａは、接着ゴム６を挟んで折り畳んだ状態に構成されていることを特徴とする。
【００１３】
請求項５に係る発明は、請求項１〜４の何れか一項に記載の浮屋根式タンク用シール材において、
前記一方及び他方の各単位ゴムシート１，１の端部における前記合成樹脂層３，３どうしに跨る合成樹脂フィルム５が設けられ、一方の合成樹脂層３及び他方の合成樹脂層３のそれぞれと前記合成樹脂フィルム５との貼着によりなる第２貼着部Ｙ２が構成されていることを特徴とする。
【００１４】
請求項６に係る発明は、請求項２〜５の何れか一項に記載の浮屋根式タンク用シール材において、
前記覆いゴムシート４は、覆い内側の接着ゴム層７と、覆い外側のゴム引布８とが重ねられて一体化された積層構造のものに構成されていることを特徴とする。
【発明の効果】
【００１５】
請求項１の発明によれば、浮屋根式タンク用シール材、複数又は多数の単位ゴムシートを接合一体化して、大きな合成樹脂皮膜ゴムシートが作製可能になったことにより実現できたものである。
フッ素樹脂などの合成樹脂皮膜が付いて接合の難しい単位ゴムシートどうしの接合一体化が可能となったので、大型のゴムシート製品に好適となる大きな合成樹脂皮膜ゴムシートの作製が可能になった。従って、大型化が可能となった合成樹脂皮膜ゴムシートを用いることで浮屋根式タンク用シール材を得ることができる。
その結果、利点の多い合成樹脂皮膜が施されたゴムシートの大型のものを作製できるようにして、材料の主成分として、膨張・収縮の変形性に優れるゴムを用いながらも、耐薬品性や耐油性に優れるものとして、より耐久性に優れる浮屋根式タンク用シール材を提供することができる。
【００１６】
請求項２の発明によれば、シール材が有する接続部は、一方の単位ゴムシートに形成される折り返し部と、他方の単位ゴムシートに形成されるカバー部と、覆いゴムシートとを、それら三者が重ね合わせられた状態での接着により構成されている。故に、突合せ配置される各単位ゴムシートのゴム層どうしが強固に、かつ、隙間の無い状態で接合一体化できるとともに、合成樹脂層どうしも貼着により隙間無く一体化することができる。
その結果、合成樹脂皮膜が施されての利点が多い単位ゴムシートの複数を接合して大きな合成樹脂皮膜ゴムシートを作るために、単位ゴムシートの端部どうしを密封状態で良好に接合させることが可能な接続部が構成される利点がある。
【００１７】
請求項３の発明によれば、ゴム層が、布にゴムを貼り合わせたシートであるゴム引布により形成されているので、より強度や耐久性に優れる合成樹脂皮膜ゴムシート（単位ゴムシート）でなる浮屋根式タンク用シール材とすることができる。
【００１８】
請求項４の発明によれば、折り返し部を、折り返される形状によって対向配置されるゴム層どうしの間に接着に適した接着ゴムを設けてあるから、接着ゴムを用いない場合に比べて、接着による接着強度を無理なく増せる利点がある。
【００１９】
請求項５の発明によれば、接続部において対向状態にある一方の合成樹脂層と他方の合成樹脂層とに跨らせた合成樹脂フィルムとの貼着によりなる第２貼着部を設けてあるので、密封度が向上するとともに、耐引っ張り力が向上する利点も期待できる。
【００２０】
請求項６の発明によれば、覆いゴムシートを、接着に好適な接着ゴム層とゴム引布とでなる積層構造シートとしてあるので、折り返し部及びカバー部と覆いゴムシートとが強固に接着されており、強度や耐久性にも優れるものとすることができる。
【図面の簡単な説明】
【００２１】
【図１】浮屋根式タンクのシール構造を示す要部の縦断面図（実施形態１）
【図２】図１のシール材をなす合成樹脂皮膜ゴムシートの接合構造を示す要部断面図
【図３】合成樹脂皮膜ゴムシートにおける接続部の構造を示す断面図
【図４】接続部の製造方法を示し、（ａ）は折り曲げ工程の作用図、（ｂ）は第１熱溶着工程の作用図
【図５】接続部の製造方法を示し、（ａ）は第２折り曲げ工程の作用図、（ｂ）は一体化工程の作用図
【図６】接続部の製造方法を示し、（ａ）は全体接着用工程の作用図、（ｂ）は第２熱溶着工程の作用図
【図７】合成樹脂皮膜ゴムシートを示す斜視図
【図８】浮屋根式タンクの第１別構造（実施形態２）によるシール構造を示す要部の縦断面図
【図９】浮屋根式タンクの第２別構造（実施形態３）によるシール構造を示す要部の縦断面図
【発明を実施するための形態】
【００２２】
以下に、本発明による浮屋根式タンク用シール材及びその作り方の実施の形態を、図面を参照しながら説明する。なお、接着とは、接着剤を用いての接着、接着剤を用いて加熱及び／又は加圧する接着、或いは加硫接着を含むこととする。また、貼着とは、熱溶着、接着などの手段を含む一体化手段の総称である。
【００２３】
図１に、石油貯蔵タンクなどの浮屋根式タンクの上部の要部図が示されており、２１は平面視で円形などの形状を呈する液体貯蔵用のタンク、２２は浮屋根、２３は石油などの揮発性の貯留液体、２４は浮屋根２２の外周部に支持されているシール体、２５はウエザーシールである。
タンク２１は、タンク側壁３２、タンク底壁３３を備える有底円筒状の容器体であって上面は開放されている。そして、タンク２１には、通常は、石油などの揮発性の液体２３が収容貯留されている。
【００２４】
浮屋根２２は、円筒状の側壁２６、底壁２７、蓋壁２８を備えるとともに、浮力を生じさせるための空室（ポンツーン）２９を有している。浮屋根２２は、タンク２１内に収容されている揮発性の液体２３の表面にて浮遊しており、揮発性の液体２３の貯留量の増減に応じて上下動する構造とされている。
【００２５】
シール体２４は、弾性材よりなる芯材３０と、この芯材３０を覆うシール材３１とを備えてなり、浮屋根２２の外周部（外周面）２２Ａとタンク側壁３２の内周面３２Ａとの間を閉塞する状態に設置されている円環状（ドーナツ状）のものである。
芯材３０は、例えばウレタンフォームよりなり、袋状のシール材３１の内部からシール材３１を適度な弾性力をもって拡張させる機能を有している。
【００２６】
シール材（エンベロープ）３１は、図１、図２に示されるように、芯材３０を覆って、浮屋根２２の外周部２２Ａとタンク２１の内側壁、即ち、タンク側壁３２の内周面３２Ａとの間を閉塞する状態に設置されるシール体２４を形成するためのものである。つまり、シール材３１は、浮屋根２２とタンク２１との間に形成されている間隙Ｂ（図１を参照）を閉塞させて液封させるための手段である。
【００２７】
シール材３１は、浮屋根２２の外周部２２Ａに沿う内縦膜部３１ａ、タンク側壁３２の内周面３２Ａに沿う外縦膜部３１ｂ、内縦膜部３１ａ及び外縦膜部３１ｂそれぞれの上端部どうしを繋ぐ上横膜部３１ｃ、及び、内縦膜部３１ａ及び外縦膜部３１ｂそれぞれの下端部どうしを繋ぐ下横膜部３１ｄを有し、縦断面が袋状で、かつ、平面視で円環状を呈している。上横膜部３１ｃの内側端部と内縦膜部３１ａの上端部とが重ねられた状態で、ボルトなどの固定出段３４により浮屋根２２の側壁２６上端部に支持されている。
【００２８】
シール材３１は、ゴム層２とゴム層２にコーティングされた合成樹脂層３とでなる単位ゴムシート１の複数が、単位ゴムシート１それぞれの端部を突き合わせ状態で接合してなる接続部Ａにより一体化されてなる合成樹脂皮膜ゴムシートＳを、所定の芯材覆い形状に形成して構成されている。実施形態１においては、シール材３１に用いられる合成樹脂皮膜ゴムシートＳは、図２や図１に示されるように、単位ゴムシート１どうしを接合する接続部Ａが、周方向に１箇所（複数個所でも良い）で、かつ、径方向に伸びる状態に形成されているものを用いている。
【００２９】
図３に示すように、合成樹脂皮膜付のゴムシートである単位ゴムシート１は、ゴム層２とゴム層２の片面にコーティングなどの手段により重ねられた合成樹脂層３とでなる２層構造のゴムシートに構成されている。詳しくは、ゴム層２はゴム引布８でなり、その材質としては、ＮＢＲ、Ｈ−ＮＢＲ、ＣＲ、ＥＰＤＭなどが挙げられ、後述する接着ゴム６も同じである。合成樹脂層３はＰＴＦＥ（ポリテトラフルオロエチレン）やＥＴＦＥ〔テトラフルオロエチレンとエチレン共重合体（４フッ化エチレン・エチレン共重合樹脂）〕などのフッ素樹脂、或いはＰＶｄＦ、ＥＶＡ、ポリアミドでなる厚さの薄い層である。
【００３０】
ゴム引布８とは、布にゴムを貼り合わせたシートで、布とゴムの特性を併せ持った公知の複合材料である。布にゴムを含浸させてなるものでもよい。織布または不織布等の繊維の片面または両面にカレンダーロールで圧延したゴムを貼り合わせて製造する複合シートや、ゴムを繊維でサンドイッチする複合シートなどがある。
【００３１】
合成樹脂皮膜ゴムシートＳにおける接合構造は、前述の単位ゴムシート１の端部どうしを接合一体化してなる接続部Ａを有して構成されている。接続部Ａは、互いに接着により一体化されている折り返し部１Ａとカバー部１Ｂと覆いゴムシート４とでなる一体化部１Ｃと、折り返し部１Ａの合成樹脂層３とカバー部１Ｂの合成樹脂層３とを熱溶着（貼着の一例）により一体化してなる第１熱溶着部（貼着部の一例）Ｙ１と、折り返し部１Ａ及びカバー部１Ｂそれぞれの合成樹脂層３，３に熱溶着（貼着の一例）により一体化された合成樹脂フィルム５と（それぞれの合成樹脂層３，３と合成樹脂フィルム５とを熱溶着してなる第２熱溶着部Ｙ２と）、を備えて構成されている。合成樹脂フィルム５の材質は、合成樹脂層３と同じものであるが、それ以外でも良い。
【００３２】
折り返し部１Ａは、図３及び図４（ａ）に示されるように、一方の単位ゴムシート１の端部をゴム層２が内側となる方向に、シート状の接着ゴム６を挟み込んで１８０度折り曲げて折り畳んだ形状のものに構成されている。折り返し部１Ａは、シート面に対して垂直姿勢となる部分である屈曲部１１と、シート面に平行となる部分である返し部１２とを有している。接着ゴム６は、接着に適した接着用のゴムである。
【００３３】
カバー部１Ｂは、図３及び図５（ａ）に示されるように、他方の単位ゴムシート１の端部を、その合成樹脂層３が、カバー部１Ｂ以外の箇所における合成樹脂層３より凹んだ（退入した）状態となるようにクランク状（Ｚ形状、又は段付状）に折り曲げた形状のものに構成されている。カバー部１Ｂは、シート面に垂直姿勢となる部分である立設部１３と、シート面に平行となる部分である庇部１４とを有している。カバー部１Ｂの合成樹脂層３と折り返し部１Ａの合成樹脂層３とが直接に、かつ、隙間無く重なる状態に、カバー部１Ｂ及び折り返し部１Ａが形状設定されている。
【００３４】
覆いゴムシート４は、図３及び図５（ｂ）に示されるように、覆い内側の接着ゴム層７と、覆い外側のゴム引布８とが重ねられて一体化された２層構造（積層構造の一例）のゴムシートであって、折り返し部１Ａとカバー部１Ｂとが重ね合わされてなる重ね部ａに隙間無く外接するように、鍋伏状の形状及び大きさに設定されて構成されている。重ね部ａに外接された状態の覆いゴムシート４は、カバー部１Ｂ及び折り返し部１Ａの端面を覆い、かつ、一方及び他方の各単位ゴムシート１，１の根元部９，１０それぞれのゴム層２に跨って設けられている。
【００３５】
覆いゴムシート４は、一方の単位ゴムシート１のゴム層２に重なる一方の裾野部４ａ、他方の単位ゴムシート１のゴム層２に重なる他方の裾野部４ｂ、カバー部１Ｂ及び折り返し部１Ａそれぞれの先端面１５，１６に外接する一方の縦壁部４ｃ、カバー部１Ｂの立設部１３に外接する他方の縦壁部４ｄ、及びカバー部１Ｂの庇部１４に外接する頂壁部４ｅを有している。
【００３６】
接続部Ａにおいては、図３、図６（ｂ）に示されるように、折り返し部１Ａの合成樹脂層３とカバー部１Ｂの合成樹脂層３とが熱溶着（貼着の一例）により一体化されてなる第２熱溶着部（第２貼着部の一例）Ｙ２が形成されている。詳しくは、折り返し部１Ａ及びカバー部１Ｂそれぞれの根元部９，１０の合成樹脂層３に跨って重ねられる合成樹脂フィルム５を設け、各合成樹脂層３と合成樹脂フィルム５とを熱溶着することで第２熱溶着部Ｙ２が構成されている。
折り返し部１Ａの根元部９は、屈曲部１１及び返し部１２以外の部分（シート面と平行な部分）であり、カバー部１Ｂの根元部１０は、立設部１３及び庇部１４以外の部分（シート面と平行な部分）である。
【００３７】
つまり接続部Ａにおいては、一方及び他方の単位ゴムシート１の合成樹脂層３どうしが熱溶着されるとともに、各根元部９，１０の合成樹脂層３，３と合成樹脂フィルム５とが熱溶着されての密封状態で接合一体化されている。そして、一方の単位ゴムシート１における一方の裾野部４ａに対応する部分及び折り返し部１Ａそれぞれのゴム層２、及び他方の単位ゴムシート１における他方の裾野部４ｂに対応する部分及びカバー部１Ｂそれぞれのゴム層２が、覆いゴムシート４と加硫接着により強固に一体化されている。
【００３８】
このように、単位ゴムシート１を複数又は多数枚接合一体化させて、図７に示されるように、略平板状で実質的に一枚ものの大きな合成樹脂皮膜ゴムシートＳを得ること（作製すること）ができる。従って、この大きな合成樹脂皮膜ゴムシートＳにより、シール材３１はもとより、タンク内に収容される流体貯留袋などの大型のゴム製品を、優れた絶縁性、耐薬品性などを持ちながら漏れの無いものとして作製することが可能となる。
【００３９】
次に、単位ゴムシート１，１の端部どうしを接合一体化する接続部Ａの製造方法について説明する。なお、シート面とは、単位ゴムシート１の上又は下の面のことであり、図３〜６においては、紙面の左右方向に広がる面である。
【００４０】
まず、単位ゴムシート１（ゴム層２は加硫済）の一対を用意し、図４（ａ）に示されるように、それぞれの単位ゴムシート１の端部を、ゴム層２が内側となる方向に９０度折り曲げて折り曲げ部１Ｍを形成する折り曲げ工程を行う。そして、図４（ｂ）に示されるように、それぞれの折り曲げ部１Ｍ，１Ｍどうしを重ね、互いの合成樹脂層３，３どうしを熱溶着し、一体化した一体端部１Ｔを形成させる第１熱溶着工程（第１貼着工程）を行う。
【００４１】
次に、図５（ａ）に示されるように、一体端部１Ｔを、その途中部位において何れか一方の方向に９０度折り曲げ、「ユ」字状（クランク状）の重ね部ａを形成する第２折り曲げ工程を行う。この第２折り曲げ工程により、折り返し部１Ａ及びカバー部１Ｂが形成される。また、折り返し部１Ａとその根元部９との間にシート状の接着ゴム６（未加硫）を入れ込んで設ける付加工程を行う。
第２折り曲げ工程＋付加工程に代えて、第２折り曲げ工程を行うための動作の前に、折り曲げ内側となる側の根元部９に接着ゴム６を配備しておき、その状態で一体端部１Ｔを９０度折り曲げて重ね部ａを形成する、という挟み折り曲げ工程とすることも可能である。
【００４２】
なお、付加工程又は挟み折り曲げ工程の際に、一体端部１Ｔの折り曲げ内側面及び折り曲げ側の根元部９のゴム層２の表面（或いは、折り曲げ後における折り返し部１Ａの内側となるゴム層の表面）、又は接着ゴム６の表裏面に接着剤を塗布しておき、接着ゴム６と接するゴム層２と接着ゴム６とを接着させる内側接着工程を伴ってもよい。
【００４３】
次に、図５（ｂ）に示されるように、接着ゴム６が設けられている重ね部ａに、未加硫の接着ゴム層７を有する鍋伏形状の覆いゴムシート４を被せて重ねる一体化工程を行う。覆いゴムシート４は、シート面に対して凸となる重ね部ａに外接して嵌合されるように、鍋伏形状に設定されている。
覆いゴムシート４は、重ね部ａに隙間無く外接する状態に、その形状及び大きさが設定されている。
なお、一体化工程の際に、接着剤の塗布により、重ね部ａ及び両根元部９，１０それぞれのゴム層２と、覆いゴムシート４の接着ゴム層７とのそれぞれを接着させる外側接着工程を伴ってもよい。
【００４４】
一体化工程の次は、図６（ａ）に示されるように、一体化部１Ｃを加熱・加圧型に入れるなどして、上下に（シート面に対する上下に）加圧するとともに加熱（例：１６０℃で２０〜３０分）し、重ね部ａ及び両根元部９，１０と覆いゴムシート４とを強固に加硫接着させるための全体接着用工程を行う。全体接着用工程により、覆いゴムシート４の接着ゴム層７と接着ゴム６とが加硫される際に、折り返し部１Ａ、カバー部１Ｂ、及び各根元部９，１０のゴム層２の表面部位も若干軟化し、接着ゴム層７や接着ゴム６と強度十分に加硫接着（プレス架橋接着）されて強固に一体化される。
【００４５】
最後に、図６（ｂ）に示されるように、一体化部１Ｃにおける両根元部９，１０それぞれの合成樹脂層３に跨る状態に、合成樹脂フィルム５を各合成樹脂層３，３に熱溶着させて第２熱溶着部Ｙ２を作る第２熱溶着工程（第２貼着工程）を行う。第２熱溶着工程により、合成樹脂フィルム５が一体化部１Ｃに熱溶着され、接続部Ａの製造が終了する。上述の方法により作製された接続部Ａにおいて、重ね部ａの折り曲げ内側の単位ゴムシート１の端部が折り返し部１Ａであり、かつ、折り曲げ外側の単位ゴムシート１の端部がカバー部１Ｂである。
そして、所定数の接続部Ａが作製されての複数の単位ゴムシート１の接合一体化により、図７に示される大きな合成樹脂皮膜ゴムシートＳが作製される。
【００４６】
以上述べたように、本発明によるシール材３１は、複数又は多数の単位ゴムシート１を接合一体化して、大きな合成樹脂皮膜ゴムシートＳが作製可能になったことにより実現できたものである。
つまり、単位ゴムシート１，１どうしの接続部Ａは、一方に形成される折り返し部１Ａと、他方に形成されるカバー部１Ｂと、覆いゴムシート４とを嵌合状態で重ね合わせた状態で、加熱・加圧により加硫接着させる工夫によりなる。突合せ配置される各単位ゴムシート１，１のゴム層２，２どうしが強固にかつ隙間の無い状態で接合（接続）一体化できるとともに、合成樹脂層３，３どうしも熱溶着により隙間の無い状態で一体化することができる。
【００４７】
従って、フッ素樹脂などの合成樹脂皮膜が付いて接合の難しい単位ゴムシート１，１どうしの接合一体化が可能となり、浮屋根式タンク用シール材３１など、大型のゴムシート製品に好適となる大きな合成樹脂皮膜ゴムシートＳ（図７を参照）の作製が可能になった。
その結果、利点の多い合成樹脂皮膜が施されたゴムシートの大型のものを作製できるようにして、材料の主成分として、膨張・収縮の変形性に優れるゴムを用いながらも、耐薬品性や耐油性に優れるものとして、より耐久性に優れる浮屋根式タンク用シール材３１を提供することができる。
【００４８】
ゴム層２を公知のゴム引布８とすればより強度や耐久性に優れる合成樹脂皮膜ゴムシートＳ（単位ゴムシート１）が実現できる。また、覆いゴムシート４を、接着に好適な接着ゴム層７とゴム引布８とでなる２層構造シートとして、接着性に優れ、かつ、強度や耐久性にも優れるものとすることができる。
折り返し部１Ａに、折り返されることで対向配置されるゴム層２，２どうしの間に接着ゴム６を介装させる構成とすれば、接着ゴム６を用いない場合に比べて、接着による一体化強度を無理なく増せる利点がある。
【００４９】
接続部Ａにおいて対向状態にある一方の合成樹脂層３と他方の合成樹脂層３とに跨って面接触する合成樹脂フィルム５を用いて熱溶着して第２熱溶着部Ｙ２を設けてあるので、合成樹脂フィルム５を用いない手段に比べて、密封度が向上するとともに、単位ゴムシート１，１どうしが離れる方向の力、即ち、引っ張り力にも耐える強度が向上する利点もある。
【００５０】
折り返し部１Ａは、接着ゴム６を用いず、上下のゴム層２，２どうしを直接接着（加硫接着、接着剤による接着）させる構成でも良い。また、ゴム層２は、ゴムのみからなるもの、強化繊維を含むゴムなど、ゴム引布以外のものでも良い。
【００５１】
〔実施形態２〕
浮屋根式タンク用シール材３１及びこれを用いたシール体２４は、図８に示される構造のものでも良い。即ち、実施形態２によるシール体２４は、図１に示されるものと、接続部Ａが径方向にではなく、周方向に１箇所又は複数個所（図８では４箇所）設けられている合成樹脂皮膜ゴムシートＳを用いてシール材３１とされたものである。それ以外は、図１に示すものと同じである。
【００５２】
〔実施形態３〕
浮屋根式タンク用シール材３１及びこれを用いたシール体２４は、図９に示されるような形状のものでも良い。即ち、横倒し台形状の断面形状を有する芯材３０と、芯材３０を支持する基板３５と、芯材３０をほぼ覆うシール材３１でなるシール体２４である。
ウレタンフォームなどでなるリング状の芯材３０は、その内周面３０ａが円筒状の基板３５の外周面３５ａに貼着などにより一体化されている。
【００５３】
この場合のシール材３１は、タンク側壁３２の内周面３２Ａに沿う外縦膜部３１ｂ、外縦膜部３１ｂの上端部に繋がる上横膜部３１ｃ、外縦膜部３１ｂの下端部に繋がる下横膜部３１ｄは有しているが、内縦膜部３１ａは無い。その代わり、下横膜部３１ｄの内端に繋がり、若干上方に延びた折曲げ部３１ｅを備えている。
【００５４】
上横膜部３１ｃの内端部は階段状に折り曲げられてなる被支持部３７に形成され、ボルトなどによる固定手段３６により、基板３５の折り曲げ上端面３５Ａに取り付けられている。基板３５は、適宜の取付手段により浮き屋根（図示省略）に取り付けられているが、固定手段３６による共締めにより浮き屋根（図示省略）に取り付けられてもよい。折曲げ部３１ｅは、基板３５の下端部に貼着手段などにより支持される構成でも良いし、浮き屋根（図示省略）との間で挟持される構成でも良い。
【００５５】
〔別実施例〕
実施形態３によるシール体２４において、そのシール材３１に用いられる合成樹脂皮膜ゴムシートＳとして、単位ゴムシート１どうしを接合する接続部Ａが、径方向に伸びる状態のもの（図２を参照）とされたものを用いても良い。
【符号の説明】
【００５６】
１          単位ゴムシート
１Ａ        折り返し部
１Ｂ        カバー部
１Ｃ        一体化部
２          ゴム層
３          合成樹脂層
４          覆いゴムシート
５          合成樹脂フィルム
６          接着ゴム
７          接着ゴム層
８          ゴム引布
２１        タンク
２２        浮屋根
２２Ａ      外周部
２４        シール体
３０        芯材
３２Ａ      内周面
Ａ          接続部
Ｙ１        貼着部
Ｙ２        第２貼着部
Ｓ          合成樹脂皮膜ゴムシート
ａ          重ね部
【図１】
2018024457.tif 000003
【図２】
2018024457.tif 000004
【図３】
2018024457.tif 000005
【図４】
2018024457.tif 000006
【図５】
2018024457.tif 000007
【図６】
2018024457.tif 000008
【図７】
2018024457.tif 000009
【図８】
2018024457.tif 000010
【図９】
2018024457.tif 000011